(57)【要約】  【課題】  テレ側状態及びワイド側状態の切り替えを円滑且つ確実に行うことができ、且つ小型化を図ることができる照射角可変ストロボ装置を提供する。  【解決手段】  本発明は、反射傘２が光制御部材４，５に接離する方向に移動可能で且つ閃光放電管１が反射傘２の底部２ａに接離する方向に該反射傘２内を移動可能に構成されてなる照射角可変ストロボ装置であり、閃光放電管１は、所定角度範囲で揺動可能且つ反射傘２と一体的に移動する揺動体６に保持されることにより、反射傘２の底部２ａに接離する方向に該反射傘２内を移動可能とされ、しかも、反射傘２の移動に伴って揺動体６の摺接するガイド面８ａが、反射傘２の移動方向に対して傾斜するように備えられてなる。【選択図】  図５
2005078011.tif 000002
【特許請求の範囲】
【請求項１】
閃光放電管と、該閃光放電管を内挿する有底形状からなる反射傘と、該反射傘の前方に配置される光制御部材とを備え、反射傘が光制御部材に接離する方向に移動可能で且つ閃光放電管が反射傘の底部に接離する方向に該反射傘内を移動可能に構成されてなる照射角可変ストロボ装置であって、閃光放電管は、所定角度範囲で揺動可能且つ反射傘と一体的に移動する揺動体に保持されることにより、反射傘の底部に接離する方向に該反射傘内を移動可能とされ、しかも、反射傘の移動に伴って揺動体の摺接するガイド面が、反射傘の移動方向に対して傾斜するように備えられてなることを特徴とする照射角可変ストロボ装置。
【請求項２】
反射傘は内挿可能な枠形状からなる第二の反射傘が、光制御部材から離間した位置にある反射傘と該光制御部材との間に介装されてなることを特徴とする請求項１記載の照射角可変ストロボ装置。
【発明の詳細な説明】
【技術分野】
【０００１】
本発明は、広角撮影時と望遠撮影時とで発光の照射角を可変にできる照射角可変ストロボ装置に関する。
【背景技術】
【０００２】
従来より、光源としての閃光放電管、反射傘及び光制御部材であるフレネルレンズ等からなる発光部より射出される射出光の照射角を、撮影に使用する撮影レンズの焦点距離に応じて制御するように構成されたいわゆる照射角可変ストロボ装置は、種々、実用化あるいは提案されている。
【０００３】
従来の照射角可変ストロボ装置については、反射傘の前面に配置される光制御部材を反射傘に接離する方向に移動させて照射角を変化させるものがある（特許文献１）。あるいはその逆に、光制御部材を固定して該光制御部材に反射傘を接離する方向に移動させて照射角を変化させるものもある（特許文献２）。
【０００４】
また、閃光放電管を反射傘内で移動させて（反射傘の底部に接離する方向に移動させて）反射傘に対する閃光放電管の位置関係を変化させることにより照射角を変化させるものもある（特許文献３）。
【０００５】
しかしながら、前者の方式の場合、光制御部材あるいは反射傘の移動で照射角を変化させていたため、光制御部材あるいは反射傘の移動スペースが必要であり、小型化が制約される、という問題があり、一方、後者の方式の場合、閃光放電管及び反射傘の位置関係を変化させて照射角を変化させていたため、閃光放電管の移動量が反射傘の大きさによって制約され、照射角の変化が少ない、という問題があった。
【０００６】
そこで、これらの問題を解決すべく、光制御部材を反射傘に接離する方向に移動させると共に、閃光放電管を反射傘内で移動させて照射角を変化させるものが提案された（特許文献４）。かかる照射角可変ストロボ装置は、図６に示す如く、閃光放電管１６と、反射傘１７と、光制御部材１８と、左下がりに傾斜したカム溝１９ａ及び縦溝１９ｂを備えてカム溝１９ａの傾斜方向に変位可能なカム板１９と、横溝２０ａを備えたガイド板２０とで構成される（図６（イ））。
【０００７】
カム溝１９ａ及び横溝２０ａには、閃光放電管１６の端部が係入し、縦溝１９ｂには、光制御部材１８の一側縁に設けられた突起が係入している。そこで、テレ側状態からカム板１９を斜め下方に変位させると、閃光放電管１６は、カム溝１９ａによって前方に力を受け、横溝２０ａに沿って前方に押し出されると共に、光制御部材１８は、カム板１９が後方へ下がるのに連動して後ろに下がり、この結果、カム板１９が下方位置に達した際、閃光放電管１６及び光制御部材１８は、それぞれワイド側状態の位置まで移動するのである（図６（ロ））。
【特許文献１】実開昭５３−６２３３０号公報
【特許文献２】特開昭６０−８３９２１号公報
【特許文献３】特公昭６２−５１４５３号公報
【特許文献４】特開平２−２９１５３８号公報
【発明の開示】
【発明が解決しようとする課題】
【０００８】
以上のように、上記特許文献４記載の照射角可変ストロボ装置は、カム板１９の変位を以てカム溝１９ａ及び横溝２０ａの交差位置が徐々に変位することにより、横溝２０ａに端部が係入された閃光放電管１６が横溝２０ａに沿って移動する構成である。
【０００９】
しかしながら、この構成では、横溝２０ａに対するカム溝１９ａの傾斜角が緩いと、カム溝１９ａと該カム溝１９ａに係入された閃光放電管１６の端部との間の摩擦力及び横溝２０ａと該横溝２０ａに係入された閃光放電管１６の端部との間の摩擦力が強くなり、閃光放電管１６が円滑に移動できなくなるかあるいは移動が制止されるという問題が起こり得る。
【００１０】
一方、閃光放電管１６の円滑な移動を実現しようと思えば、横溝２０ａに対するカム溝１９ａの傾斜角をある程度大きく設定しなければならないが、これでは、閃光放電管１６の移動ストロークが短くなり、照射角の変化が少なくなるという問題が起こってしまう。
【００１１】
また、カム板１９を斜め方向に変位させる構成であるため、ワイド側状態では、カム板１９の後端部が後方に張り出す格好となり、このスペースを常時確保しておく必要性があることから、小型化が制約されるという問題もある。
【００１２】
本発明は上記のような不都合点を考慮してなしたもので、テレ側状態及びワイド側状態の切り替えを円滑且つ確実に行うことができ、且つ小型化を図ることができる照射角可変ストロボ装置を提供することを課題とする。
【課題を解決するための手段】
【００１３】
本発明に係る照射角可変ストロボ装置は、上記課題を解決するためになされたものであり、閃光放電管と、該閃光放電管を内挿する有底形状からなる反射傘と、該反射傘の前方に配置される光制御部材とを備え、反射傘が光制御部材に接離する方向に移動可能で且つ閃光放電管が反射傘の底部に接離する方向に該反射傘内を移動可能に構成されてなる照射角可変ストロボ装置であって、閃光放電管は、所定角度範囲で揺動可能且つ反射傘と一体的に移動する揺動体に保持されることにより、反射傘の底部に接離する方向に該反射傘内を移動可能とされ、しかも、反射傘の移動に伴って揺動体の摺接するガイド面が、反射傘の移動方向に対して傾斜するように備えられてなることを特徴とする。
【００１４】
かかる構成からなる照射角可変ストロボ装置によれば、テレ側状態から反射傘が光制御部材側に移動すると、これに伴って、揺動体がガイド面を摺接しつつ光制御部材側に揺動することにより、閃光放電管が反射傘の底部から離間する方向（光制御部材側）に移動し、その結果、閃光放電管が光制御部材に最も接近したワイド側状態となる。
【００１５】
一方、ワイド側状態から反射傘が光制御部材から離間する方向に移動すると、これに伴って、揺動体がガイド面を摺接しつつ光制御部材から離間する方向に揺動することにより、閃光放電管が反射傘の底部に接近する方向（光制御部材から離間する方向）に移動し、その結果、閃光放電管が光制御部材に最も離間したテレ側状態となる。
【００１６】
また、本発明に係る照射角可変ストロボ装置は、請求項２記載の如く、反射傘を内挿可能な枠形状からなる第二の反射傘が、光制御部材から離間した位置にある反射傘と該光制御部材との間に介装されてなる構成を採用することができる。
【００１７】
かかる構成からなる照射角可変ストロボ装置によれば、テレ側状態において反射傘から射出された光の一部が光制御部材を通らずに外部に漏れて照射光の全体光量が低下するのを好適に防止することができる。
【発明の効果】
【００１８】
以上の如く、本発明に係る照射角可変ストロボ装置は、閃光放電管が所定角度範囲で揺動可能且つ反射傘と一体的に移動する揺動体に保持されることにより反射傘の底部に接離する方向に該反射傘内を移動可能とされ、しかも、反射傘の移動に伴って揺動体の摺接するガイド面が反射傘の移動方向に対して傾斜するように備えられてなる構成であるため、閃光放電管の移動が規制されるようなことはなく、よって、テレ側状態及びワイド側状態の切り替えを円滑且つ確実に行うことができるようになる。
【発明を実施するための最良の形態】
【００１９】
以下、本発明の実施の形態について、図面を用いて説明する。
【００２０】
本実施形態に係る照射角可変ストロボ装置は、図１及び図２に示す如く、閃光放電管１と、該閃光放電管１を内挿する有底形状からなる第一反射傘２と、該第一反射傘２を内挿可能な枠形状からなる第二反射傘３と、該第二反射傘３の前面に配置される光制御部材４，５とを備え、第一反射傘２が第二反射傘３内を出退するようにして光制御部材４，５に接離する方向に移動可能で且つ閃光放電管１が第一反射傘２の底部２ａに接離する方向に第一反射傘２内を移動可能に構成されている。
【００２１】
これを具体的に実現したものを図３に示す。閃光放電管１は、その両端が揺動体６によって保持されている。第一反射傘２は、可動体７によって保持されている。第二反射傘３は、ハウジング８によって保持されている。該ハウジング８は、可動体７を内挿するもので、照射角可変ストロボユニットとしての筐体を兼ねている。また、可動体７は、ハウジング８に設けられたガイド９にスライド可能に取り付けられ、光制御部材４，５（図示しないが、ハウジング８の前面開口部に取り付けられる）に接離する方向に可動となっている。尚、可動体７とハウジング８は、引きバネ等の弾性体１０によって連結され、可動体７は、常時は光制御部材４，５から離間する方向に付勢されている。
【００２２】
一方、揺動体６は、可動体７に揺動可能に取り付けられ、第一反射傘２に内挿された状態で閃光放電管１の両端を保持する二股のアーム部を備えている。そして、揺動体６は、その揺動中心と閃光放電管１の軸心とが平行であり且つ両者を含む面が光制御部材４，５と対向するように配置されている。従って、閃光放電管１は、揺動体６が可動体７に対して所定角度範囲で揺動することにより円弧移動するが、その角度範囲は狭いため、実質的には可動体７の移動方向（光制御部材４，５の表面と直交する方向）に沿って略直線移動するに等しい。尚、揺動体６と可動体７は、コイルバネ等の弾性体（図示しない）によって連結され、揺動体６は、常時は光制御部材４，５から離間する方向に付勢されている。
【００２３】
ハウジング８は、可動体７の移動に伴って揺動体６が揺動動作を起こすよう、揺動体６の一部（揺動中心を挟んで閃光放電管１とは反対側に形成された突片６ａ）が当接し且つ可動体７の移動方向に対して傾斜するガイド面８ａを備えている。該ガイド面８ａは、光制御部材４，５に接近するほど中心側に寄る傾斜面であり、従って、可動体７が光制御部材４，５側に移動すると、閃光放電管１も第一反射傘２に対して光制御部材４，５側に相対的に移動する一方、可動体７が光制御部材４，５から離間する方向に移動すると、閃光放電管１は、ガイド面８ａによる揺動体６の押圧が解除され、弾性体の付勢により第一反射傘２に対して光制御部材４，５から離間する方向（即ち、第一反射傘２の底部２ａ側）に相対的に移動するようになっている。
【００２４】
また、ハウジング８には、可動体７を移動させるための駆動手段１１が設けられている。該駆動手段１１は、可動体７の移動方向と直交する方向に沿った出力軸を有するモータ１２と、該モータ１２の出力軸に螺合されたレバー１３とを備えている。該レバー１３は、モータ１２をハウジング８に取り付けるためのフレーム１４に設けられたガイド１５にスライド可能に取り付けられ、回転が規制された状態で可動体７の移動方向と直交する方向に可動となっている。
【００２５】
レバー１３は、中心側に移動するほど光制御部材４，５から離間する傾斜面１３ａを備え、該傾斜面１３ａは、可動体７の背面に当接する。従って、モータ１２の駆動によりレバー１３が中心側に移動すると、可動体７が前方に押し出されて光制御部材４，５側に移動する一方、モータ１２の逆駆動によりレバー１３が反対に移動すると、可動体７は、レバー１３による押圧が解除され、弾性体１０の付勢により光制御部材４，５から離間する方向に移動するようになっている。
【００２６】
本実施形態に係る照射角可変ストロボ装置は、以上の構成からなり、かかる構成によれば、図５（イ）に示すテレ側状態から、モータ１２が正回転駆動すれば、レバー１３が下がり、可動体７を光制御部材４，５側に押し出し、これにより、可動体７が光制御部材４，５側に移動して第二反射傘３内に進入すると共に、これに伴って、揺動体６の一部６ａがガイド面８ａと当接して揺動体６が光制御部材４，５側に揺動することにより、閃光放電管１が第一反射傘２の底部２ａから離間する方向（光制御部材４，５側）に移動し、その結果、閃光放電管１が光制御部材４，５に最も接近したワイド側状態となる（図５（ロ））。
【００２７】
一方、図５（ロ）に示すワイド側状態から、モータ１２が逆回転駆動すれば、レバー１３が上がり、レバー１３による押圧が解除された可動体７が弾性部材により光制御部材４，５から離間する方向に移動して第二反射傘３から退避すると共に、これに伴って、ガイド面８ａとの当接が解除された揺動体６が弾性部材により光制御部材４，５から離間する方向に揺動することにより、閃光放電管１が第一反射傘２の底部２ａに接近する方向に移動し、その結果、閃光放電管１が光制御部材４，５から最も離間したテレ側状態となる（図５（イ））。
【００２８】
従って、本実施形態に係る照射角可変ストロボ装置は、従来のように二本の溝（図６の４ａ及び５ａ）による機構ではなく、第一反射傘２の移動に伴って揺動体６がガイド面８ａとの当接を受けて次第に揺動角度を大きくしていくことにより、閃光放電管１が第一反射傘２内で移動する機構であるため、テレ側状態及びワイド側状態の切り替えが円滑且つ確実に行われる。
【００２９】
また、ガイド面８ａの傾斜角度を適宜設定することにより、第一反射傘２の移動ストロークに関わらず、第一反射傘２に対する閃光放電管１の移動ストロークを任意に設定することができ、よって、テレ側状態とワイド側状態との間の照射角の変化量を任意に設定することが可能となるため、設計の自由度を高めることができる。
【００３０】
尚、本発明は、上記実施形態に限定されるものではなく、本発明の要旨を逸脱しない範囲で種々の変更が可能である。
【００３１】
例えば、上記実施形態においては、光制御部材４，５側の開口部がそれと反対側の開口部よりも拡開された形状である第二反射傘３を設けているが、これは必須ではない。但し、テレ側状態において第一反射傘２から射出された光の一部が光制御部材４，５を通らずに外部に漏れて照射光の全体光量が低下するのを防止できる点で、第二反射傘３を設ける方がよい。
【００３２】
また、上記実施形態においては、小型化を図る観点から、モータ１２を垂直方向に配置し、レバー１３を以て可動体７の推進力を直交方向に変換するようにしているが、これによらず、例えば、ガイド９をネジとし、該ガイド体９に可動体７を螺合させ、ガイド９をモータにより回転させることにより、可動体７を直接移動させるような駆動手段であってもよい。
【００３３】
また、上記実施形態においては、第一反射傘２と可動体７とは別体構造であり、第二反射傘３とハウジング８とは一体構造であるが、第一反射傘２と可動体７、第二反射傘３とハウジング８は、それぞれ一体構造であっても別体構造であってもどちらでもよい。
【産業上の利用可能性】
【００３４】
以上の如く、本発明に係る照射角可変ストロボ装置は、閃光放電管が所定角度範囲で揺動可能且つ反射傘と一体的に移動する揺動体に保持されることにより反射傘の底部に接離する方向に該反射傘内を移動可能とされ、しかも、反射傘の移動に伴って揺動体の摺接するガイド面が反射傘の移動方向に対して傾斜するように備えられてなる構成であるため、閃光放電管の移動が規制されるようなことはなく、よって、テレ側状態及びワイド側状態の切り替えを円滑且つ確実に行うことができるようになり、照射角可変ストロボ装置として有用である。
【図面の簡単な説明】
【００３５】
【図１】本実施形態に係る照射角可変ストロボ装置の概略構成分解斜視図
【図２】同実施形態の照射角可変ストロボ装置の概略構成であって、（イ）テレ側状態の側面図（ロ）中間状態の側面図（ハ）ワイド側状態の側面図
【図３】同実施形態の照射角可変ストロボ装置の分解斜視図
【図４】同実施形態の照射角可変ストロボ装置の組立斜視図
【図５】同実施形態の照射角可変ストロボ装置であって、（イ）テレ側状態の断面側面図（ロ）ワイド側状態の断面側面図
【図６】従来の照射角可変ストロボ装置の概略構成であって、（イ）テレ側状態の側面図（ロ）ワイド側状態の側面図
【符号の説明】
【００３６】
１  閃光放電管
２  第一反射傘（反射傘）
２ａ  底部
３  第二反射傘（第二の反射傘）
４  光制御部材
５  光制御部材
６  揺動体
７  可動体
８  ハウジング
８ａ  ガイド面
【図１】
2005078011.tif 000003
【図２】
2005078011.tif 000004
【図３】
2005078011.tif 000005
【図４】
2005078011.tif 000006
【図５】
2005078011.tif 000007
【図６】
2005078011.tif 000008